(57)【要約】【課題】使用者がレール部材の端部に接触することを防止できるとともに、レール部材の中空部内の埃や塵を容易に取り除くことができるエンドキャップを提供する。【解決手段】本発明に係るエンドキャップ１０は、レール部材の端部に設置され使用される。レール部材は、上面に長さ方向に沿って開口する開口部を有し、中空であり、物の固定に利用されるものである。エンドキャップ１０には、該エンドキャップ１０の上面１０ａから一端側に向かって傾斜しており、最も低い部分１１ａの高さｈがレール部材の底壁の高さとほぼ同じであり、レール部材の底壁上面に隣接して配置される斜面１１と、該斜面１１の両側に配置される側壁１２とが設けられている。【選択図】図２
2009012590.tif 000002
【特許請求の範囲】
【請求項１】
上面に長さ方向に沿って開口する開口部を有し、中空であり、物の固定に利用されるレール部材の端部に設置されるエンドキャップであって、
該エンドキャップの上面から一端側に向かって傾斜しており、最も低い部分の高さが前記レール部材の底壁の高さとほぼ同じであり、前記レール部材の底壁上面に隣接して配置される斜面と、該斜面の両側に配置される側壁とを具備することを特徴とするエンドキャップ。
【請求項２】
前記斜面の幅が前記レール部材の底壁上面の幅とほぼ同じであることを特徴とする請求項１に記載のエンドキャップ。
【発明の詳細な説明】
【技術分野】
【０００１】
本発明は、上面に長さ方向に沿って開口する開口部を有し、中空であり、物の固定に利用されるレール部材の端部に設置されるエンドキャップに関するものである。
【背景技術】
【０００２】
従来、上面に長さ方向に沿って開口する開口部を有し、中空であり、物の固定に利用されるレール部材が知られている。例えば、下記特許文献１に開示されたレール部材は、車椅子を固定するために利用されており、下記特許文献２に開示されたレール部材は、貨物を固定するために利用されている。
【０００３】
この種のレール部材は、一般にフロアに固定されて用いられるが、端部が露出しているため、使用者が端部に接触した場合に怪我をすることがあった。この問題を解決するため、端部にエンドキャップを設けることが考えられる。しかしながら、エンドキャップで端部を被覆してしまうと、レール部材の開口部から中空部内に入り込んだ埃や塵を除去し難くなるという問題が生じる。
【特許文献１】特開２００１−２１２１７９号公報
【特許文献２】特開２００２−２１１３０７号公報
【発明の開示】
【発明が解決しようとする課題】
【０００４】
本発明は、上記事情に鑑みなされたものであり、使用者がレール部材の端部に接触することを防止できるとともに、レール部材の中空部内の埃や塵を容易に取り除くことができるエンドキャップを提供することを課題とするものである。
【課題を解決するための手段】
【０００５】
本発明は、上記課題を解決するため、以下のエンドキャップを提供する。
１．上面に長さ方向に沿って開口する開口部を有し、中空であり、物の固定に利用されるレール部材の端部に設置されるエンドキャップであって、
該エンドキャップの上面から一端側に向かって傾斜しており、最も低い部分の高さが前記レール部材の底壁の高さとほぼ同じであり、前記レール部材の底壁上面に隣接して配置される斜面と、該斜面の両側に配置される側壁とを具備することを特徴とするエンドキャップ。
２．前記斜面の幅が前記レール部材の底壁上面の幅とほぼ同じであることを特徴とする前記１に記載のエンドキャップ。
【発明の効果】
【０００６】
本発明に係るエンドキャップによれば、レール部材の端部に設置されるため、使用者がレール部材の端部に接触することを防止できる。また、エンドキャップの上面から一端側に向かって傾斜しており、最も低い部分の高さがレール部材の底壁の高さとほぼ同じであり、レール部材の底壁上面に隣接して配置される斜面と、該斜面の両側に配置される側壁とを具備するため、中空部内の埃や塵を容易に取り除くことができる。
【発明を実施するための最良の形態】
【０００７】
以下、本発明の実施の形態を図面に示した実施例に従って説明する。
【実施例】
【０００８】
図１は本発明の一実施例に係るエンドキャップを示す平面図、図２は図１のＡ−Ａ部断面図である。これらの図に示したように、本実施例に係るエンドキャップ１０は、斜面１１及び側壁１２を有して構成される。
【０００９】
斜面１１は、エンドキャップ１０の上面１０ａから一端側に向かって傾斜しており、斜面１１の最も低い部分１１ａの高さｈ（図２参照）は、レール部材２０の底壁２３の高さｈ（図４参照）とほぼ同じになるように設定されている（図５参照）。また、斜面１１の幅ｗ（図３参照）は、レール部材２０の底壁上面２３ａの幅ｗ（図４参照）とほぼ同じになるように設定されている。
【００１０】
側壁１２は、斜面１１の両側に配置されており、両側壁１２，１２の高さは、エンドキャップ１０の上面１０ａと同じ高さに設定されている。
【００１１】
上記のように構成されるエンドキャップ１０は、図３に示したように、レール部材２０の端部２０ａに設置される。ここで、レール部材２０は、上面に長手方向に沿って開口する開口部２１を有し、その内部は中空であり、開口部２１と中空部２２は互いに連通している（図４参照）。レール部材２０は、フロア３０に固定され、物を固定するために利用されるものであり、公知のものを使用できる（上記特許文献１及び２参照）。
【００１２】
エンドキャップ１０がレール部材２０の端部２０ａに設置されることにより、使用者がレール部材２０の端部２０ａに接触することを防止できる。エンドキャップ１０の外形は、例えば、図１及び図２に示したように、エッジに丸みを付けるなど、使用者がエンドキャップ１０に接触しても怪我を負わないように考慮される。
【００１３】
レール部材２０の中空部２２内に溜まった埃や塵は、例えば、ブラシの毛先をレール部材２０の開口部２１から中空部２２内に挿入した後、開口部２１に沿ってレール部材２０の端部２０ａの方向に移動させることにより、レール部材２０の端部２０ａに移動する。このとき、エンドキャップ１０には、エンドキャップ１０の上面１０ａから一端側に向かって傾斜しており、最も低い部分１１ａの高さｈがレール部材２０の底壁２３の高さｈとほぼ同じであり、レール部材２０の底壁上面２３ａに隣接して配置される斜面１１が設けられているため、埃や塵がレール部材２０の端部２０ａに留まることなく、レール部材２０の端部２０ａの開口した部分から出て、エンドキャップ１０の斜面１１上を移動して、外部に掃き出されることになる。
【００１４】
この際、エンドキャップ１０の斜面１１とレール部材２０の底壁上面２３ａとの間に段差があると、その段差がある部分に埃や塵が溜まり易いが、本実施例によれば、図５に示したように、段差がないので、埃や塵が溜まり難いという利点がある。また、エンドキャップ１０には、斜面１１の両側に配置される側壁１２が設けられているため、該側壁１２が斜面１１上を移動する埃や塵のガイドとして機能し、レール部材２０の端部２０ａの開口した部分から出た埃や塵の飛散を防止することができる。さらに、エンドキャップ１０の斜面１１の幅ｗとレール部材２０の底壁上面２３ａの幅ｗが異なる場合には、エンドキャップ１０の斜面１１とレール部材２０の底壁上面２３ａとの境界部分に埃や塵が溜まり易いが、本実施例によれば、エンドキャップ１０の斜面１１の幅ｗがレール部材２０の底壁上面２３ａの幅ｗとほぼ同じであるため、エンドキャップ１０の斜面１１とレール部材２０の底壁上面２３ａとの境界部分に埃や塵が溜まり難いという利点がある。したがって、本実施例に係るエンドキャップ１０によれば、レール部材２０の中空部２２内に入り込んだ埃や塵を容易に取り出すことができる。
【図面の簡単な説明】
【００１５】
【図１】本発明の一実施例に係るエンドキャップを示す平面図である。
【図２】図１のＡ−Ａ部断面図である。
【図３】エンドキャップの使用状態を示す平面図である。
【図４】図３のＢ−Ｂ部断面図である。
【図５】エンドキャップの使用状態を示す断面図である。
【符号の説明】
【００１６】
１０  エンドキャップ
１１  斜面
１２  側壁
２０  レール部材
２１  開口部
２２  中空部
２３  底壁
３０  フロア
【図１】
2009012590.tif 000003
【図２】
2009012590.tif 000004
【図３】
2009012590.tif 000005
【図４】
2009012590.tif 000006
【図５】
2009012590.tif 000007